(57)【要約】【課題】テレビジョン信号受信装置において、ユーザがチャンネルを選択したときの選局動作を高速化できるようにする。【解決手段】テレビジョン信号受信装置は、ユーザによりチャンネルが選択されたとき（＃１でＹＥＳ）、第１のチューナ１１と第２のチューナ１２の両方を使用できる状況である場合には（＃２でＹＥＳ）、ユーザにより選択されたチャンネルのテレビジョン信号を第１のチューナ１１と第２のチューナ１２によってＤＶＢ−Ｔ方式とＤＶＢ−Ｔ２方式で選局する（＃３）。そして、テレビジョン信号受信装置は、第１のチューナ１１と第２のチューナ１２のうち（ＤＶＢ−Ｔ方式とＤＶＢ−Ｔ２方式のうち）、テレビジョン信号を受信できた方のチューナにより受信したテレビジョン信号に基く映像及び音声を外部装置によって出力するようにする（＃４）。【選択図】図２
2012004753.tif 000002
【特許請求の範囲】
【請求項１】
テレビジョン放送局から放送されるテレビジョン信号を受信するテレビジョン信号受信
装置において、
テレビジョン信号を受信する第１のチューナ及び第２のチューナと、
前記第１のチューナ及び前記第２のチューナの受信チャンネルを選局し、前記第１のチ
ューナ及び前記第２のチューナにより受信したテレビジョン信号に基く映像の表示を制御
する制御手段とを備え、
前記第１のチューナ及び前記第２のチューナは、各々、受信チャンネルが選択されると
共に、受信方式がＤＶＢ−Ｔ方式又はＤＶＢ−Ｔ２方式のいずれかに選択されることによ
り、選択された受信チャンネルのテレビジョン信号を選択された受信方式で受信し、
前記制御手段は、前記第１のチューナ及び前記第２のチューナの受信チャンネル及び受
信方式を選択することにより、前記第１のチューナ及び前記第２のチューナの受信チャン
ネルを選局し、
前記制御手段は、
ユーザによりチャンネルが選択されたとき、
ユーザにより選択されたチャンネルのテレビジョン信号を前記第１のチューナと前記第
２のチューナによってＤＶＢ−Ｔ方式とＤＶＢ−Ｔ２方式で受信するように、前記第１の
チューナ及び前記第２のチューナの受信チャンネルを選局し、
前記第１のチューナと前記第２のチューナのうち、テレビジョン信号を受信できた方の
チューナにより受信したテレビジョン信号に基く映像を表示するように制御する、
ことを特徴とするテレビジョン信号受信装置。
【請求項２】
受信方式を記憶するためのメモリをさらに備え、
前記制御手段は、
ユーザによりチャンネルが選択されたとき、前記第１のチューナと前記第２のチューナ
の両方を使用できる状況である場合には、
ユーザにより選択されたチャンネルのテレビジョン信号を前記第１のチューナと前記第
２のチューナによってＤＶＢ−Ｔ方式とＤＶＢ−Ｔ２方式で受信するように、前記第１の
チューナ及び前記第２のチューナの受信チャンネルを選局し、
前記第１のチューナと前記第２のチューナのうち、テレビジョン信号を受信できた方の
チューナにより受信したテレビジョン信号に基く映像を表示するように制御し、
ＤＶＢ−Ｔ方式とＤＶＢ−Ｔ２方式のうち、テレビジョン信号を受信できた方の受信方
式を、そのチャンネルと対応付けて前記メモリに記憶し、
ユーザによりチャンネルが選択されたとき、前記第１のチューナと前記第２のチューナ
のうちの一方を使用できて他方を使用できない状況であって、ユーザにより選択されたチ
ャンネルの受信方式が前記メモリに記憶されている場合には、
ユーザにより選択されたチャンネルのテレビジョン信号を前記使用できる方のチューナ
によって前記メモリに記憶されている受信方式で受信するように、前記使用できる方のチ
ューナの受信チャンネルを選局し、
前記使用できる方のチューナにより受信したテレビジョン信号に基く映像を表示するよ
うに制御し、
ユーザによりチャンネルが選択されたとき、前記第１のチューナと前記第２のチューナ
のうちの一方を使用できて他方を使用できない状況であって、ユーザにより選択されたチ
ャンネルにおける受信方式が前記メモリに記憶されていない場合には、
ユーザにより選択されたチャンネルのテレビジョン信号を前記使用できる方のチューナ
によってＤＶＢ−Ｔ方式で受信するように、前記使用できる方のチューナの受信チャンネ
ルを選局し、
この選局によりテレビジョン信号を受信できれば、その受信できたテレビジョン信号に
基く映像を表示するように制御し、その受信方式を、そのチャンネルと対応付けて前記メ
モリに記憶し、
この選局によりテレビジョン信号を受信できなければ、ユーザにより選択されたチャン
ネルのテレビジョン信号を前記使用できる方のチューナによってＤＶＢ−Ｔ２方式で受信
するように、前記使用できる方のチューナの受信チャンネルを選局し、
この選局により受信できたテレビジョン信号に基く映像を表示するように制御し、その
受信方式を、そのチャンネルと対応付けて前記メモリに記憶する、
ことを特徴とする請求項１に記載のテレビジョン信号受信装置。
【発明の詳細な説明】
【技術分野】
【０００１】
本発明は、テレビジョン放送局から放送されるテレビジョン信号を受信するテレビジョ
ン信号受信装置に関するものである。
【背景技術】
【０００２】
従来から、イギリスを含む欧州地方では、地上波デジタルテレビジョン放送の一種であ
るＤＶＢ−Ｔ（Digital Video Broadcast-Terrestrial）方式のテレビジョン放送、及び
ＤＶＢ−Ｔ方式よりも伝送効率を高めたＤＶＢ−Ｔ２方式のテレビジョン放送が行われて
おり、ＤＶＢ−Ｔ方式のテレビジョン放送とＤＶＢ−Ｔ２方式のテレビジョン放送が混在
している。
【０００３】
ＤＶＢ−Ｔ方式のテレビジョン放送とＤＶＢ−Ｔ２方式のテレビジョン放送では、テレ
ビジョン信号の受信方式（テレビジョン信号から映像信号及び音声信号を復調、復号する
方式）が異なっている。従って、ＤＶＢ−Ｔ方式のテレビジョン放送に対しては、テレビ
ジョン信号をＤＶＢ−Ｔ方式で受信（ＤＶＢ−Ｔ方式のテレビジョン放送に対応した受信
方式で受信）しなければならず、ＤＶＢ−Ｔ２方式のテレビジョン放送に対しては、テレ
ビジョン信号をＤＶＢ−Ｔ２方式で受信（ＤＶＢ−Ｔ２方式のテレビジョン放送に対応し
た受信方式で受信）しなければならない。
【０００４】
従来のテレビジョン信号受信装置では、ユーザによりチャンネルが選択されると、ユー
ザにより選択されたチャンネルをＤＶＢ−Ｔ方式とＤＶＢ−Ｔ２方式で順番に選局して、
ユーザにより選択されたチャンネルのテレビジョン信号に基く映像を表示するようになっ
ている。つまり、従来のテレビジョン信号受信装置では、ユーザによりチャンネルが選択
されると、まず、ユーザにより選択されたチャンネルのテレビジョン信号をＤＶＢ−Ｔ方
式で受信するように選局する。そして、ＤＶＢ−Ｔ方式でテレビジョン信号を受信できれ
ば（正常に復調、復号できれば）、そのＤＶＢ−Ｔ方式で受信したテレビジョン信号に基
く映像を表示する。一方、ユーザにより選択されたチャンネルのテレビジョン信号をＤＶ
Ｂ−Ｔ方式で受信するように選局したときに、ＤＶＢ−Ｔ方式でテレビジョン信号を受信
できなければ、ユーザにより選択されたチャンネルのテレビジョン信号をＤＶＢ−Ｔ２方
式で受信するように選局する。そして、ＤＶＢ−Ｔ２方式で受信したテレビジョン信号に
基く映像を表示する。
【０００５】
一方、ＤＶＢ−Ｔ方式のテレビジョン放送を受信するテレビジョン信号受信装置におい
て、所定のサーチプランに基づいて、ＵＨＦ帯の物理チャンネルについて視聴可能な物理
チャンネルを抽出し、抽出した物理チャンネルのＴＳのＮＩＴに含まれる所定の識別情報
に基づき、当該装置が用いられる国を識別し、その国に対応するサーチプランに基づいて
、ＶＨＦ帯の物理チャンネルについて視聴可能な物理チャンネルを抽出するようにしたも
のが知られている（例えば特許文献１参照）。また、ＤＶＢ−Ｔ方式のテレビジョン放送
を受信するテレビジョン信号受信装置において、放送信号から取得した国識別情報ごとに
国別チャンネルリストを作成し、ユーザが国を選択することにより、ユーザが選択した国
の国別チャンネルリストを基に選局可能となるようにしたものが知られている（例えば特
許文献２参照）。また、選局された放送信号中に重畳された放送形態情報に基づいて、選
局受信中の放送信号の放送形態を判別し、放送形態を判別した後は、その放送形態用の選
局動作を行うようにしたテレビジョン信号受信装置が知られている（例えば特許文献３参
照）。また、ＤＶＢ−Ｔ２方式のテレビジョン放送に適用可能なＯＦＤＭ送信装置及びＯ
ＦＤＭ受信装置が知られている（例えば特許文献４参照）。
【先行技術文献】
【特許文献】
【０００６】
【特許文献１】特開２００９−１５２７４０号公報
【特許文献２】特開２００９−１５２７７５号公報
【特許文献３】特開２００２−４４５５８号公報
【特許文献４】特開２００９−１１２０１０号公報
【発明の概要】
【発明が解決しようとする課題】
【０００７】
ところで、上述した従来のテレビジョン信号受信装置においては、ユーザによりチャン
ネルが選択されたときに、ユーザにより選択されたチャンネルをＤＶＢ−Ｔ方式とＤＶＢ
−Ｔ２方式で順番に選局するようになっている。このため、ユーザがチャンネルを選択し
たときの選局動作が遅く、ユーザがチャンネルを選局してからテレビジョン信号に基く映
像が表示されるまでに時間を要してしまう。なお、上述した特許文献１乃至特許文献４に
開示の内容を適用したとしても、上記の問題を解決することはできない。
【０００８】
本発明は、上記課題を解決するためになされたものであり、ユーザがチャンネルを選択
したときの選局動作を高速化することができるテレビジョン信号受信装置を提供すること
を目的とする。
【課題を解決するための手段】
【０００９】
上記目的を達成するために請求項１の発明は、テレビジョン放送局から放送されるテレ
ビジョン信号を受信するテレビジョン信号受信装置において、テレビジョン信号を受信す
る第１のチューナ及び第２のチューナと、第１のチューナ及び第２のチューナの受信チャ
ンネルを選局し、第１のチューナ及び第２のチューナにより受信したテレビジョン信号に
基く映像の表示を制御する制御手段とを備え、第１のチューナ及び第２のチューナは、各
々、受信チャンネルが選択されると共に、受信方式がＤＶＢ−Ｔ方式又はＤＶＢ−Ｔ２方
式のいずれかに選択されることにより、選択された受信チャンネルのテレビジョン信号を
選択された受信方式で受信し、制御手段は、第１のチューナ及び第２のチューナの受信チ
ャンネル及び受信方式を選択することにより、第１のチューナ及び第２のチューナの受信
チャンネルを選局し、制御手段は、ユーザによりチャンネルが選択されたとき、ユーザに
より選択されたチャンネルのテレビジョン信号を第１のチューナと第２のチューナによっ
てＤＶＢ−Ｔ方式とＤＶＢ−Ｔ２方式で受信するように、第１のチューナ及び第２のチュ
ーナの受信チャンネルを選局し、第１のチューナと第２のチューナのうち、テレビジョン
信号を受信できた方のチューナにより受信したテレビジョン信号に基く映像を表示するよ
うに制御するものである。
【００１０】
請求項２の発明は、請求項１に記載のテレビジョン信号受信装置において、受信方式を
記憶するためのメモリをさらに備え、制御手段は、ユーザによりチャンネルが選択された
とき、第１のチューナと第２のチューナの両方を使用できる状況である場合には、ユーザ
により選択されたチャンネルのテレビジョン信号を第１のチューナと第２のチューナによ
ってＤＶＢ−Ｔ方式とＤＶＢ−Ｔ２方式で受信するように、第１のチューナ及び第２のチ
ューナの受信チャンネルを選局し、第１のチューナと第２のチューナのうち、テレビジョ
ン信号を受信できた方のチューナにより受信したテレビジョン信号に基く映像を表示する
ように制御し、ＤＶＢ−Ｔ方式とＤＶＢ−Ｔ２方式のうち、テレビジョン信号を受信でき
た方の受信方式を、そのチャンネルと対応付けてメモリに記憶し、ユーザによりチャンネ
ルが選択されたとき、第１のチューナと第２のチューナのうちの一方を使用できて他方を
使用できない状況であって、ユーザにより選択されたチャンネルの受信方式がメモリに記
憶されている場合には、ユーザにより選択されたチャンネルのテレビジョン信号を使用で
きる方のチューナによってメモリに記憶されている受信方式で受信するように、使用でき
る方のチューナの受信チャンネルを選局し、使用できる方のチューナにより受信したテレ
ビジョン信号に基く映像を表示するように制御し、ユーザによりチャンネルが選択された
とき、第１のチューナと第２のチューナのうちの一方を使用できて他方を使用できない状
況であって、ユーザにより選択されたチャンネルにおける受信方式がメモリに記憶されて
いない場合には、ユーザにより選択されたチャンネルのテレビジョン信号を使用できる方
のチューナによってＤＶＢ−Ｔ方式で受信するように、使用できる方のチューナの受信チ
ャンネルを選局し、この選局によりテレビジョン信号を受信できれば、その受信できたテ
レビジョン信号に基く映像を表示するように制御し、その受信方式を、そのチャンネルと
対応付けてメモリに記憶し、この選局によりテレビジョン信号を受信できなければ、ユー
ザにより選択されたチャンネルのテレビジョン信号を使用できる方のチューナによってＤ
ＶＢ−Ｔ２方式で受信するように、使用できる方のチューナの受信チャンネルを選局し、
この選局により受信できたテレビジョン信号に基く映像を表示するように制御し、その受
信方式を、そのチャンネルと対応付けてメモリに記憶するものである。
【発明の効果】
【００１１】
請求項１の発明によれば、ユーザがチャンネルを選択すると、ユーザにより選択された
チャンネルのテレビジョン信号をＤＶＢ−Ｔ方式で受信するように、第１のチューナの受
信チャンネルが選局されると共に、この選局と並行して、ユーザにより選択されたチャン
ネルのテレビジョン信号をＤＶＢ−Ｔ２方式で受信するように、第２のチューナの受信チ
ャンネルが選局される。すなわち、ユーザがチャンネルを選択すると、ユーザにより選択
されたチャンネルが、第１のチューナと第２のチューナを使用して、ＤＶＢ−Ｔ方式とＤ
ＶＢ−Ｔ２方式で並行して選局される。そして、第１のチューナと第２のチューナのうち
（ＤＶＢ−Ｔ方式とＤＶＢ−Ｔ２方式のうち）、テレビジョン信号を受信できた方のチュ
ーナにより受信したテレビジョン信号に基く映像が表示される。つまり、第１のチューナ
によって（すなわちＤＶＢ−Ｔ方式で）テレビジョン信号を受信できれば、その受信でき
たテレビジョン信号に基く映像が表示され、第２のチューナによって（すなわちＤＶＢ−
Ｔ２方式で）テレビジョン信号を受信できれば、その受信できたテレビジョン信号に基く
映像が表示される。従って、ユーザにより選択されたチャンネルのテレビジョン信号がＤ
ＶＢ−Ｔ方式とＤＶＢ−Ｔ２方式のいずれの放送方式で放送されていても、ユーザにより
選択されたチャンネルを放送方式に対応した適正な受信方式で素早く選局することができ
、ユーザがチャンネルを選択したときの選局動作を高速化することができる。これにより
、選局動作時の待ち時間が短くなり、ユーザが選択したチャンネルのテレビジョン信号に
基く映像を素早く表示することができて、ユーザの使い勝手を向上させることができる。
【００１２】
請求項２の発明によれば、ユーザがチャンネルを選択したときに、第１のチューナと第
２のチューナのうちの一方を使用できて他方を使用できない（すなわち、ユーザにより選
択されたチャンネルをＤＶＢ−Ｔ方式とＤＶＢ−Ｔ２方式で並行して選局できない）状況
であると、ユーザにより選択されたチャンネルのテレビジョン信号をメモリに記憶してい
る受信方式（そのチャンネルの受信にそれまで適用していた受信方式）で受信するように
、使用できる方のチューナの受信チャンネルが選局される。すなわち、第１のチューナと
第２のチューナのうちの一方を使用できて他方を使用できない状況では、ユーザにより選
択されたチャンネルが、使用できる方のチューナを使用して、それまで適用していた受信
方式で選局される。そして、この選局により受信したテレビジョン信号に基く映像が表示
される。従って、第１のチューナと第２のチューナのうちの一方を使用できて他方を使用
できない状況のときでも、ユーザにより選択されたチャンネルを放送方式に対応した適正
な受信方式で素早く選局することができ、ユーザがチャンネルを選択したときの選局動作
を高速化することができる。
【図面の簡単な説明】
【００１３】
【図１】本発明の一実施形態に係るテレビジョン信号受信装置の概略構成を示す電気的ブロック構成図。
【図２】同テレビジョン信号受信装置の選局動作を示すフローチャート。
【発明を実施するための形態】
【００１４】
以下、本発明を具体化した実施形態によるテレビジョン信号受信装置について図面を参
照して説明する。図１は、本実施形態によるテレビジョン信号受信装置の構成を示す。テ
レビジョン信号受信装置１は、テレビジョン放送局から電波の形態で放送されるテレビジ
ョン信号を受信する装置である。このテレビジョン信号受信装置１は、地上波デジタルテ
レビジョン放送の一種であるＤＶＢ−Ｔ（Digital Video Broadcast-Terrestrial）方式
のテレビジョン放送、及びＤＶＢ−Ｔ２方式のテレビジョン放送に対応している。また、
このテレビジョン信号受信装置１は、外部装置２を接続して使用するようになっており、
テレビジョン信号に基く映像、音声を外部装置２によって出力するようになっている。
【００１５】
テレビジョン信号受信装置１は、第１のチューナ１１と、第２のチューナ１２と、出力
切換部１３と、光ディスクドライブ装置１４と、リモコン１５と、リモコン受信部１６と
、メモリ１７と、テレビジョン信号受信装置１の動作を制御する制御部１８等を備える。
【００１６】
第１のチューナ１１及び第２のチューナ１２は、各々、テレビジョン信号をアンテナ１
ａを介して受信する。また、第１のチューナ１１及び第２のチューナ１２は、受信したテ
レビジョン信号を復調、復号処理して、受信したテレビジョン信号から映像信号及び音声
信号を生成する。
【００１７】
テレビジョン信号は、複数の異なるチャンネル（周波数）で放送されている。また、テ
レビジョン信号は、チャンネル毎に、ＤＶＢ−Ｔ方式とＤＶＢ−Ｔ２方式のいずれかの放
送方式で放送されている。ＤＶＢ−Ｔ方式のテレビジョン放送とＤＶＢ−Ｔ２方式のテレ
ビジョン放送では、テレビジョン信号の受信方式（テレビジョン信号から映像信号及び音
声信号を復調、復号する方式）が異なるものとなる。
【００１８】
第１のチューナ１１及び第２のチューナ１２は、テレビジョン信号の受信方式として、
ＤＶＢ−Ｔ方式（ＤＶＢ−Ｔ方式のテレビジョン放送に対応した受信方式）と、ＤＶＢ−
Ｔ２方式（ＤＶＢ−Ｔ２方式のテレビジョン放送に対応した受信方式）に対応可能になっ
ている。
【００１９】
第１のチューナ１１及び第２のチューナ１２の受信チャンネル（受信周波数）は、各々
、制御部１８による制御のもと、選択されるようになっている。また、第１のチューナ１
１及び第２のチューナ１２の受信方式は、各々、制御部１８による制御のもと、ＤＶＢ−
Ｔ方式とＤＶＢ−Ｔ２方式のいずれかに選択されるようになっている。
【００２０】
すなわち、第１のチューナ１１及び第２のチューナ１２は、各々、制御部１８による制
御のもと、受信チャンネル（受信周波数）が選択されると共に、受信方式がＤＶＢ−Ｔ方
式又はＤＶＢ−Ｔ２方式のいずれかに選択されることにより、選択された受信チャンネル
のテレビジョン信号を選択された受信方式で受信する。
【００２１】
つまり、第１のチューナ１１及び第２のチューナ１２は、各々、制御部１８による制御
のもと、選択された受信チャンネルのテレビジョン信号をアンテナ１ａを介して受信し、
そして、受信したテレビジョン信号を選択された方式で復調、復号処理して、受信したテ
レビジョン信号から映像信号及び音声信号を生成する。第１のチューナ１１及び第２のチ
ューナ１２により生成された映像信号及び音声信号は、出力切換部１３に供給される。
【００２２】
また、第１のチューナ１１及び第２のチューナ１２は、各々、テレビジョン信号を正常
に復調、復号処理できているか否かを検出する機能を有しており、テレビジョン信号を正
常に復調、復号処理できている場合には、テレビジョン信号を正常に復調、復号処理でき
ていることを示すチャンネルロック信号を出力する。第１のチューナ１１及び第２のチュ
ーナ１２から出力されたチャンネルロック信号は、制御部１８に与えられる。
【００２３】
出力切換部１３は、制御部１８による制御のもと、映像信号及び音声信号の供給経路を
切換える。例えば、出力切換部１３は、あるときには、第１のチューナ１１により生成さ
れた映像信号及び音声信号を外部装置２に供給すると共に、第２のチューナ１２により生
成された映像信号及び音声信号をどこにも供給せず、別のときには、第１のチューナ１１
により生成された映像信号及び音声信号を光ディスクドライブ装置１４に供給すると共に
、第２のチューナ１２により生成された映像信号及び音声信号を外部装置２に供給するよ
うに、映像信号及び音声信号の供給経路を切換える。
【００２４】
光ディスクドライブ装置１４は、ＤＶＤ、ＢＤ（ブルーレイディスク）等の光ディスク
４０が装着／取外しされるようになっており、制御部１８による制御のもと、出力切換部
１３から供給された映像信号及び音声信号を光ディスク４０に記録する。また、光ディス
クドライブ装置１４は、制御部１８による制御のもと、光ディスク４０に記録されている
映像信号及び音声信号を読出す。光ディスクドライブ装置１４により光ディスク４０から
読出された映像信号及び音声信号は、出力切換部１３に供給される。
【００２５】
出力切換部１３から外部装置２に映像信号及び音声信号が供給されることにより、その
映像信号及び音声信号による映像及び音声が外部装置２によって出力（その映像信号によ
る映像が外部装置２のディスプレイ２１に表示されると共に、その音声信号による音声が
外部装置２のスピーカ２２から出力）される。
【００２６】
リモコン１５は、テレビジョン信号受信装置１の電源のオン／オフ、テレビジョン放送
のチャンネルの選択等、テレビジョン信号受信装置１の各種動作を指示するためにユーザ
により操作され、その操作内容を示す操作信号を送信する。リモコン受信部１６は、リモ
コン１５から送信された操作信号を受信して、リモコン１５の操作内容を示すリモコン受
信信号を出力する。
【００２７】
メモリ１７は、制御部１８による制御のもと、テレビジョン放送の各チャンネルのテレ
ビジョン信号の受信方式を記憶する。
【００２８】
制御部１８は、リモコン受信部１６から出力されるリモコン受信信号に基いて、ユーザ
によるリモコン１５の操作内容を判断し、ユーザによるリモコン１５の操作を受けて、テ
レビジョン信号受信装置１の各種動作を制御する。制御部１８は、テレビジョン信号受信
装置１の動作を制御するためのプログラムや各種データを記憶しており、これらのプログ
ラムや各種データに基いて、テレビジョン信号受信装置１の各種動作を制御する。制御部
１８は、テレビジョン信号受信装置１の各種動作として、選局動作、録画動作等の動作を
制御する。
【００２９】
選局動作とは、ユーザにより選択されたチャンネルを選局して、ユーザにより選択され
たチャンネルのテレビジョン信号に基く映像及び音声を外部装置２によって出力する動作
である。選局動作は、ユーザによりチャンネルが選択されることにより行われる。ユーザ
によるチャンネルの選択は、リモコン１５を操作することにより行われる。
【００３０】
選局動作では、制御部１８は、第１のチューナ１１及び第２のチューナ１２の受信チャ
ンネルを選局し、第１のチューナ１１又は第２のチューナ１２により受信したテレビジョ
ン信号に基く映像及び音声を外部装置２によって出力するように制御する。このとき、制
御部１８は、第１のチューナ１１及び第２のチューナ１２の受信チャンネル（受信周波数
）及び受信方式を選択することにより、第１のチューナ１１及び第２のチューナ１２の受
信チャンネルを選局する。また、制御部１８は、第１のチューナ１１又は第２のチューナ
１２により生成された映像信号及び音声信号を外部装置２に供給するように、出力切換部
１３における映像信号及び音声信号の供給経路の切換えを制御することにより、第１のチ
ューナ１１又は第２のチューナ１２により受信したテレビジョン信号に基く映像及び音声
を外部装置２によって出力するように制御する。
【００３１】
録画動作とは、第１のチューナ１１又は第２のチューナ１２により受信しているテレビ
ジョン信号に基く映像及び音声を光ディスク４０に記録する動作である。録画動作は、ユ
ーザにより録画指示がなされることにより行われる。ユーザによる録画指示は、リモコン
１５を操作することにより行われる。
【００３２】
録画動作では、制御部１８は、第１のチューナ１１又は第２のチューナ１２により受信
したテレビジョン信号に基く映像及び音声を光ディスク４０に記録するように制御する。
このとき、制御部１８は、第１のチューナ１１又は第２のチューナ１２により生成された
映像信号及び音声信号を光ディスクドライブ装置１４に供給するように、出力切換部１３
における映像信号及び音声信号の供給経路を制御すると共に、光ディスクドライブ装置１
４に対して映像信号及び音声信号を記録する旨を指令することにより、第１のチューナ１
１又は第２のチューナ１２により受信したテレビジョン信号に基く映像及び音声を光ディ
スク４０に記録するように制御する。
【００３３】
図２は、上記テレビジョン信号受信装置１の選局動作のフローチャートを示す。まず、
ユーザによりチャンネルが選択されると（＃１でＹＥＳ）、制御部１８は、第１のチュー
ナ１１と第２のチューナ１２の両方を使用できる状況であるか否かを判断する（＃２）。
このとき、制御部１８は、第１のチューナ１１と第２のチューナ１２のいずれも、テレビ
ジョン信号に基く映像及び音声の光ディスク４０への記録のために使用していない場合に
、第１のチューナ１１と第２のチューナ１２の両方を使用できる状況であると判定する。
また、制御部１８は、第１のチューナ１１と第２のチューナ１２のうち、いずれか一方の
チューナをテレビジョン信号に基く映像及び音声の光ディスク４０への記録のために使用
している場合に、第１のチューナ１１と第２のチューナ１２の両方を使用できる状況でな
い（第１のチューナ１１と第２のチューナ１２のうちの一方を使用できて他方を使用でき
ない状況である）と判定する。
【００３４】
そして、第１のチューナ１１と第２のチューナ１２の両方を使用できる状況である場合
には（＃２でＹＥＳ）、制御部１８は、第１のチューナ１１と第２のチューナ１２を使用
して、ユーザにより選択されたチャンネルのテレビジョン信号をＤＶＢ−Ｔ方式とＤＶＢ
−Ｔ２方式で選局する（＃３）。
【００３５】
すなわち、制御部１８は、ユーザによりチャンネルが選択されたとき、第１のチューナ
１１と第２のチューナ１２の両方を使用できる状況である場合には、ユーザにより選択さ
れたチャンネルのテレビジョン信号を第１のチューナ１１と第２のチューナ１２によって
ＤＶＢ−Ｔ方式とＤＶＢ−Ｔ２方式で受信するように、第１のチューナ１１及び第２のチ
ューナ１２の受信チャンネルを選局する。つまり、制御部１８は、ユーザにより選択され
たチャンネルのテレビジョン信号をＤＶＢ−Ｔ方式で受信するように、第１のチューナ１
１の受信チャンネルを選局すると共に、この選局と並行して、ユーザにより選択されたチ
ャンネルのテレビジョン信号をＤＶＢ−Ｔ２方式で受信するように、第２のチューナ１２
の受信チャンネルを選局する。
【００３６】
そして、制御部１８は、第１のチューナ１１と第２のチューナ１２のうち（ＤＶＢ−Ｔ
方式とＤＶＢ−Ｔ２方式のうち）、テレビジョン信号を受信できた方のチューナにより受
信したテレビジョン信号に基く映像及び音声を外部装置２によって出力するように制御す
る（＃４）。すなわち、制御部１８は、第１のチューナ１１によって（ＤＶＢ−Ｔ方式で
）テレビジョン信号を受信できた場合には、第１のチューナ１１により受信したテレビジ
ョン信号に基く映像及び音声を外部装置２によって出力するように制御し、第２のチュー
ナ１２によって（ＤＶＢ−Ｔ２方式で）テレビジョン信号を受信できた場合には、第２の
チューナ１２により受信したテレビジョン信号に基く映像及び音声を外部装置２によって
出力するように制御する。なお、制御部１８は、第１のチューナ１１からチャンネルロッ
ク信号が出力された場合に、第１のチューナ１１によってテレビジョン信号を受信できた
と判断し、第２のチューナ１２からチャンネルロック信号が出力された場合に、第２のチ
ューナ１２によってテレビジョン信号を受信できたと判断する。
【００３７】
また、制御部１８は、ＤＶＢ−Ｔ方式とＤＶＢ−Ｔ２方式のうち、テレビジョン信号を
受信できた方の受信方式を、そのチャンネルと対応付けてメモリ１７に記憶する（＃５）
。すなわち、制御部１８は、ＤＶＢ−Ｔ方式で（第１のチューナ１１によって）テレビジ
ョン信号を受信できた場合には、受信方式がＤＶＢ−Ｔ方式であることを、そのチャンネ
ルと対応付けてメモリ１７に記憶し、ＤＶＢ−Ｔ２方式で（第２のチューナ１２によって
）テレビジョン信号を受信できた場合には、受信方式がＤＶＢ−Ｔ２方式であることを、
そのチャンネルと対応付けてメモリ１７に記憶する。これにより、その時点において、そ
のチャンネルの放送方式に対応した受信方式がメモリ１７に記憶される。
【００３８】
一方、上記＃２において、第１のチューナ１１と第２のチューナ１２の両方を使用でき
る状況でない場合には（＃２でＮＯ）、ユーザにより選択されたチャンネルの受信方式が
メモリ１７に記憶されていれば（＃６でＹＥＳ）、制御部１８は、使用できる方のチュー
ナ（テレビジョン信号に基く映像及び音声の光ディスク４０への記録のために使用してい
ない方のチューナ）を使用して、ユーザにより選択されたチャンネルのテレビジョン信号
をメモリ１７に記憶されている受信方式（それまで適用していた受信方式）で選局する（
＃７）。
【００３９】
すなわち、制御部１８は、ユーザによりチャンネルが選択されたとき、第１のチューナ
１１と第２のチューナ１２のうちの一方を使用できて他方を使用できない状況であって、
ユーザにより選択されたチャンネルの受信方式がメモリ１７に記憶されている場合には、
ユーザにより選択されたチャンネルのテレビジョン信号を、使用できる方のチューナによ
ってメモリ１７に記憶されている受信方式で受信するように、使用できる方のチューナの
受信チャンネルを選局する。
【００４０】
そして、制御部１８は、使用できる方のチューナにより受信した（上記＃７における選
局により受信した）テレビジョン信号に基く映像及び音声を外部装置２によって出力する
ように制御する（＃８）。
【００４１】
また、上記＃６において、ユーザにより選択されたチャンネルの受信方式がメモリ１７
に記憶されていなければ（＃６でＮＯ）、制御部１８は、使用できる方のチューナを使用
して、ユーザにより選択されたチャンネルのテレビジョン信号をＤＶＢ−Ｔ方式で選局す
る（＃９）。
【００４２】
すなわち、制御部１８は、ユーザによりチャンネルが選択されたとき、第１のチューナ
１１と第２のチューナ１２のうちの一方を使用できて他方を使用できない状況であって、
ユーザにより選択されたチャンネルの受信方式がメモリ１７に記憶されていない場合には
、ユーザにより選択されたチャンネルのテレビジョン信号を、使用できる方のチューナに
よってＤＶＢ−Ｔ方式で受信するように、使用できる方のチューナの受信チャンネルを選
局する。
【００４３】
そして、使用できる方のチューナによりテレビジョン信号を受信できれば（上記＃９に
おけるＤＶＢ−Ｔ方式での選局によりテレビジョン信号を受信できれば）（＃１０でＹＥ
Ｓ）、制御部１８は、その受信できたテレビジョン信号に基く映像及び音声を外部装置２
によって出力するように制御する（＃１１）。なお、制御部１８は、使用できる方のチュ
ーナからチャンネルロック信号が出力された場合に、使用できる方のチューナによりテレ
ビジョン信号を受信できたと判断する。
【００４４】
また、制御部１８は、その受信方式を、そのチャンネルと対応付けて前記メモリに記憶
する（＃１２）。すなわち、制御部１８は、受信方式がＤＶＢ−Ｔ方式であることを、そ
のチャンネルと対応付けてメモリ１７に記憶する。これにより、その時点において、その
チャンネルの放送方式に対応した受信方式がメモリ１７に記憶される。
【００４５】
一方、上記＃１０において、使用できる方のチューナによりテレビジョン信号を受信で
きなければ（上記＃９におけるＤＶＢ−Ｔ方式での選局によりテレビジョン信号を受信で
きなければ）（＃１０でＮＯ）、制御部１８は、使用できる方のチューナを使用して、ユ
ーザにより選択されたチャンネルのテレビジョン信号をＤＶＢ−Ｔ２方式で選局する（＃
１３）。
【００４６】
すなわち、制御部１８は、上記＃９におけるＤＶＢ−Ｔ方式での選局によりテレビジョ
ン信号を受信できなければ、ユーザにより選択されたチャンネルのテレビジョン信号を、
使用できる方のチューナによってＤＶＢ−Ｔ２方式で受信するように、使用できる方のチ
ューナの受信チャンネルを選局する。
【００４７】
そして、制御部１８は、この選局により受信できた（使用できる方のチューナにより受
信できた）テレビジョン信号に基く映像及び音声を外部装置２によって出力するように制
御する（＃１４）。
【００４８】
また、制御部１８は、その受信方式を、そのチャンネルと対応付けて前記メモリに記憶
する（＃１５）。すなわち、制御部１８は、受信方式がＤＶＢ−Ｔ２方式であることを、
そのチャンネルと対応付けてメモリ１７に記憶する。これにより、その時点において、そ
のチャンネルの放送方式に対応した受信方式がメモリ１７に記憶される。選局動作は、こ
のようにして行われる。
【００４９】
本発明のテレビジョン信号受信装置１によれば、第１のチューナ１１と第２のチューナ
１２の両方を使用できる状況である場合には、ユーザがチャンネルを選択すると、ユーザ
により選択されたチャンネルが、第１のチューナと第２のチューナを使用して、ＤＶＢ−
Ｔ方式とＤＶＢ−Ｔ２方式で並行して選局される。すなわち、ユーザにより選択されたチ
ャンネルのテレビジョン信号をＤＶＢ−Ｔ方式で受信するように、第１のチューナ１１の
受信チャンネルが選局されると共に、この選局と並行して、ユーザにより選択されたチャ
ンネルのテレビジョン信号をＤＶＢ−Ｔ２方式で受信するように、第２のチューナ１２の
受信チャンネルが選局される。
【００５０】
そして、第１のチューナ１１と第２のチューナ１２のうち（ＤＶＢ−Ｔ方式とＤＶＢ−
Ｔ２方式のうち）、テレビジョン信号を受信できた方のチューナにより受信したテレビジ
ョン信号に基く映像及び音声が出力される。つまり、第１のチューナ１１によって（すな
わちＤＶＢ−Ｔ方式で）テレビジョン信号を受信できれば、その受信できたテレビジョン
信号に基く映像及び音声が出力され、第２のチューナ１２によって（すなわちＤＶＢ−Ｔ
２方式で）テレビジョン信号を受信できれば、その受信できたテレビジョン信号に基く映
像及び音声が出力される。
【００５１】
従って、第１のチューナ１１と第２のチューナ１２の両方を使用できる状況である場合
には、ユーザにより選択されたチャンネルが、ＤＶＢ−Ｔ方式とＤＶＢ−Ｔ２方式で並行
して選局されることにより、ユーザにより選択されたチャンネルの放送方式がＤＶＢ−Ｔ
方式とＤＶＢ−Ｔ２方式のいずれであっても、ユーザにより選択されたチャンネルを放送
方式に対応した適正な受信方式で素早く選局することができる。
【００５２】
また、第１のチューナ１１と第２のチューナ１２のうちの一方を使用できて他方を使用
できない（すなわち、ユーザにより選択されたチャンネルをＤＶＢ−Ｔ方式とＤＶＢ−Ｔ
２方式で並行して選局できない）状況である場合には、ユーザがチャンネルを選択すると
、ユーザにより選択されたチャンネルが、使用できる方のチューナを使用して、メモリ１
７に記憶している受信方式（そのチャンネルの受信にそれまで適用していた受信方式）で
選局される。そして、この選局により受信したテレビジョン信号に基く映像及び音声が出
力される。
【００５３】
従って、第１のチューナ１１と第２のチューナ１２のうちの一方を使用できて他方を使
用できない状況である場合には、ユーザにより選択されたチャンネルが、それまで適用し
ていた受信方式で選局されることにより、ユーザにより選択されたチャンネルを放送方式
に対応した適正な受信方式で素早く選局することができる。
【００５４】
このように、本発明のテレビジョン信号受信装置１によれば、ユーザにより選択された
チャンネルを放送方式に対応した適正な受信方式で素早く選局することができるので、ユ
ーザがチャンネルを選択したときの選局動作を高速化することができる。これにより、選
局動作時の待ち時間が短くなり、ユーザが選択したチャンネルのテレビジョン信号に基く
映像及び音声を素早く出力することができて、ユーザの使い勝手を向上させることができ
る。
【００５５】
なお、本発明は、上記実施形態の構成に限られず、種々の変形が可能である。例えば、
選局動作において、一度、＃４でＤＶＢ−Ｔ２方式で受信できた場合には、次回以降の選
局動作においては、第１のチューナと第２のチューナの両方を使用できる状況であっても
、第１のチューナと第２のチューナを使用してＤＶＢ−Ｔ方式とＤＶＢ−Ｔ２方式で選局
することを行わず、一方のチューナのみを使用してＤＶＢ−２方式で選局するようにして
もよい。また、テレビジョン信号受信装置は、外部装置（ディスプレイ及びスピーカ）を
接続して使用するタイプのものに限られず、ディスプレイ及びスピーカを一体的に備えた
タイプのものであってもよい。
【符号の説明】
【００５６】
１    テレビジョン信号受信装置
２    外部装置
１１    第１のチューナ
１２    第２のチューナ
１３    出力切換部
１４    光ディスクドライブ装置
１５    リモコン
１６    リモコン受信部
１７    メモリ
１８    制御部
２１    ディスプレイ
２２    スピーカ
４０    光ディスク
【図１】
2012004753.tif 000003
【図２】
2012004753.tif 000004